(57)【要約】【課題】カメラ筐体へのグリップ部材の固定を安価且つ容易に行うことができるカメラを提供する。【解決手段】本発明のカメラ１は、カメラ筐体４，１００と、前記カメラ筐体４，１００の内部に設けられ、前記カメラ筐体４，１００の一面に設けられた開閉可能な開口部１５０及び該開口部１５０に対向して設けられた奥壁部１３０を有する室部１３と、前記カメラ筐体４，１００における、前記室部１３が設けられている部分の外側に取り付けられるグリップ部材２００と、前記グリップ部材２００を前記カメラ筐体４，１００との間で挟持する本体部３１０及び該本体部３１０より延びて前記グリップ部材２００及び前記カメラ筐体４，１００を貫通して前記室部１３の内部へ挿入され、前記奥壁部１３０に固定される腕部３２０、を有する外観部材３００と、を備えることを特徴とする。【選択図】図２
2012032545.tif 000002
【特許請求の範囲】
【請求項１】
カメラ筐体と、
前記カメラ筐体の内部に設けられ、前記カメラ筐体の一面に設けられた開閉可能な開口部及び該開口部に対向して設けられた奥壁部を有する室部と、
前記カメラ筐体における、前記室部が設けられている部分の外側に取り付けられるグリップ部材と、
前記グリップ部材を前記カメラ筐体との間で挟持する本体部、及び該本体部より延びて前記グリップ部材及び前記カメラ筐体を貫通して前記室部の内部へ挿入され、前記奥壁部に固定される腕部、を有する外観部材と、
を備えることを特徴とするカメラ。
【請求項２】
請求項１に記載のカメラであって、
前記奥壁部にはネジ穴が設けられ、
前記腕部には貫通穴が設けられ、
前記室部の前記開口部よりネジを挿入し、前記外観部材の前記貫通穴を通して前記奥壁部の前記ネジ穴に前記ネジを螺合することにより、前記腕部が前記奥壁部に固定されること、
を特徴とするカメラ。
【請求項３】
請求項２に記載のカメラであって、
前記グリップ部材の外面側には凹部が形成され、内面側には、該内面から外面側に向かってグリップ部材の厚さ方向の途中まで延び、該凹部の側面において該凹部と連結している孔部が形成され、
前記外観部材の前記本体部は前記凹部に嵌合し、
前記腕部は、前記本体部の外周側から、前記孔部の底面に当接する段部を形成して張り出し、前記孔部を通って前記室部へと延びること、
を特徴とするカメラ。
【請求項４】
請求項１〜３のいずれか１項に記載のカメラであって、
前記外観部材は、前記グリップ部材よりも硬いこと、
を特徴とするカメラ。
【請求項５】
請求項１〜４のいずれか１項に記載のカメラであって、
前記外観部材は、撮影者が撮影レンズの光軸を水平として横長の画像を撮影する場合のカメラの状態において、水平方向に延びること、
を特徴とするカメラ。
【請求項６】
請求項１〜５のいずれか１項に記載のカメラであって、
前記外観部材は、撮影者が撮影レンズの光軸を水平として横長の画像を撮影する場合のカメラの状態において撮影者が通常の撮影をするために前記グリップ部材を握った場合に、人差し指が当接する部分であること、
を特徴とするカメラ。
【請求項７】
請求項１〜６のいずれか１項に記載のカメラであって、
前記グリップ部材は、撮影者が撮影レンズの光軸を水平として横長の画像を撮影する場合のカメラの状態において上部となる部分が光軸方向前面に突き出し、
前記外観部材は、前記グリップ部材の該突き出している部分の下部に設けられていること、
を特徴とするカメラ。
【請求項８】
請求項１〜７のいずれか１項に記載のカメラであって、
前記外観部材が前記グリップ部材に装着されると、前記外観部材の外面と前記グリップ部材の外面とが滑らかに連続すること、
を特徴とするカメラ。
【発明の詳細な説明】
【技術分野】
【０００１】
本発明は、カメラに関するものである。
【背景技術】
【０００２】
カメラのグリップ部は、カメラ操作時に頻繁に指が接触する。このため、グリップ部に取り付けられているゴム製のグリップ部材がカメラ筐体から剥がれる可能性がある。従来、グリップ部材を成型する際に、カメラ筐体への固定用の金属部をインサート成形し、カメラ筐体と固定用金属部とを一体成形し、固定用金属部材をカメラ筐体にはめ込むことにより、グリップ部材をカメラ筐体に固定しているものがある（例えば、特許文献１参照）。
【先行技術文献】
【特許文献】
【０００３】
【特許文献１】特開平１０−１８８５４４号公報
【発明の概要】
【発明が解決しようとする課題】
【０００４】
しかし、上記従来技術によると、インサート成形の金型構造が複雑となり、コストアップの原因となる。
【０００５】
本発明の課題は、カメラ筐体へのグリップ部材の固定を安価且つ容易に行うことができるカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、カメラ筐体（４，１００）と、前記カメラ筐体（４，１００）の内部に設けられ、前記カメラ筐体（４，１００）の一面に設けられた開閉可能な開口部（１５０）及び該開口部（１５０）に対向して設けられた奥壁部（１３０）を有する室部（１３）と、前記カメラ筐体（４，１００）における、前記室部（１３）が設けられている部分の外側に取り付けられるグリップ部材（２００）と、前記グリップ部材（２００）を前記カメラ筐体（４，１００）との間で挟持する本体部（３１０）及び該本体部（３１０）より延びて前記グリップ部材（２００）及び前記カメラ筐体（４，１００）を貫通して前記室部（１３）の内部へ挿入され、前記奥壁部（１３０）に固定される腕部（３２０）、を有する外観部材（３００）と、を備えることを特徴とするカメラ（１）である。
請求項２に記載の発明は、請求項１に記載のカメラ（１）であって、前記奥壁部（１３０）にはネジ孔（１３２）が設けられ、前記腕部（３２０）には貫通孔（３２３）が設けられ、前記室部（１３）の前記開口部（１５０）よりネジ（３３０）を挿入し、前記外観部材（３００）の前記貫通孔（３２３）を通して前記奥壁部（１３０）の前記ネジ孔（１３２）に前記ネジ（３３０）を螺合することにより、前記腕部（３２０）が前記奥壁部（１３０）に固定されること、を特徴とするカメラ（１）である。
請求項３に記載の発明は、請求項２に記載のカメラ（１）であって、前記グリップ部材（２００）の外面側には凹部（２１０）が形成され、内面側には、該内面から外面側に向かってグリップ部材（２００）の厚さ方向の途中まで延び、該凹部（２１０）の側面において該凹部（２１０）と連結している孔部（２１２）が形成され、前記外観部材（３００）の前記本体部（３１０）は前記凹部（２１０）に嵌合し、前記腕部（３２０）は、前記本体部（３１０）の外周側から、前記孔部（２１２）の底面（２１３）に当接する段部（３２４）を形成して張り出し、前記孔部（２１２）を通って前記室部（１３）へと延びること、を特徴とするカメラ（１）である。
請求項４に記載の発明は、請求項１〜３のいずれか１項に記載のカメラ（１）であって、前記外観部材（３００）は、前記グリップ部材（２００）よりも硬いこと、を特徴とするカメラ（１）である。
請求項５に記載の発明は、請求項１〜４のいずれか１項に記載のカメラ（１）であって、前記外観部材（３００）は、光軸を水平として横長の画像を撮影する場合のカメラ（１）の状態において、水平方向に延びること、を特徴とするカメラ（１）である。
請求項６に記載の発明は、請求項１〜５のいずれか１項に記載のカメラ（１）であって、前記外観部材（３００）は、光軸を水平として横長の画像を撮影する場合のカメラ（１）の状態において撮影者が通常の撮影をするために前記グリップ部材（２００）を握った場合に、人差し指が当接する部分であること、を特徴とするカメラ（１）である。
請求項７に記載の発明は、請求項１〜６のいずれか１項に記載のカメラ（１）であって、前記グリップ部材（２００）は、光軸を水平として横長の画像を撮影する場合のカメラ（１）の状態において上部となる部分が光軸方向前面に突き出し、前記外観部材（３００）は、前記グリップ部材（２００）の該突き出している部分の下部に設けられていること、を特徴とするカメラ（１）である。
請求項８に記載の発明は、請求項１〜７のいずれか１項に記載のカメラ（１）であって、前記外観部材（３００）が前記グリップ部材（２００）に装着されると、前記外観部材）３００）の外面と前記グリップ部材（２００）部の外面とが滑らかに連続すること、を特徴とするカメラ（１）である。
なお、符号を付して説明した構成は、適宜改良してもよく、また、少なくとも一部を他の構成物に代替してもよい。
【発明の効果】
【０００８】
本発明によれば、カメラ筐体へのグリップ部材の固定を安価且つ容易に行うことが可能なカメラを提供することができる。
【図面の簡単な説明】
【０００９】
【図１】本発明の一実施形態を適用したカメラの斜視図である。
【図２】図１のＡ−Ａ断面に相当するグリップ部の上部縦断面図である。
【図３】グリップ部の分解斜視図である。
【図４】グリップ部を底面側から見た図である。
【図５】グリップゴムを背面側から見た斜視図である。
【図６】外観部材を示す図であり、（ａ）は正面図、（ｂ）は上面図、（ｃ）は下面図である。
【発明を実施するための形態】
【００１０】
以下、図面等を参照して、本発明の実施形態について説明する。図１は、本発明の一実施形態を適用したカメラ１の斜視図である。なお、以下に示す各図には、説明と理解を容易にするために、ＸＹＺ直交座標系を設けた。この座標系では、撮影者が撮影レンズ３の光軸を水平として横長の画像を撮影する場合のカメラ１の位置（以下、正位置という）において撮影者から見て左側に向かう方向をＸ軸プラス方向、上側に向かう方向をＹ軸プラス方向、被写体に向かう方向をＺ軸プラス方向とする。また、被写体側（Ｘ軸プラス側）を前面側、撮影者側（Ｘ軸マイナス側）を背面側とも称する。
【００１１】
図１に示すカメラ１は、カメラボディ２と、当該カメラボディ２に着脱可能な撮影レンズ３と、を備えたデジタル一眼レフカメラである。なお、本発明は、デジタル一眼レフカメラに限定されるものではなく、たとえばフィルムを用いるスチル一眼レフカメラや、デジタルまたはフィルムを用いるレンズボディ一体型のカメラにも適用可能である。
【００１２】
カメラボディ２は、内部に光学的な被写体像を電気信号に変換する撮像素子（図示せず）を備え、その外周は筐体４で覆われている。また、カメラボディ２は、その使用者側から見て右側端部（Ｘ軸マイナス側の端部、図１において左側）の前面側に、グリップ部１０を備えている。
【００１３】
グリップ部１０は、水平断面で見て略円弧状に前面側に突出している。グリップ部１０の前面側外周には、グリップゴム２００が装着されている。また、グリップ部１０の上部近傍には、背面側にくびれた指掛け部１１が形成されている。この指掛け部１１に、デザイン上のアクセントとグリップゴム２００のズレ防止機能とを兼ねる外観部材３００が取り付けられている。この外観部材３００については後に詳述する。
【００１４】
グリップ部１０の上面部分には、レリーズスイッチ１２や、各種操作部材が配設されている。また、筐体４におけるグリップ部１０が設けられている部分の内部は、当該カメラ１に電源を供給するバッテリーを収容する電池室１３が設けられている。
【００１５】
撮影レンズ３は、結像光学系を構成するレンズ群（図示せず）を備えており、入射した被写体光をカメラボディ２の撮像素子に結像させる。カメラ１は、レリーズスイッチ１２の操作に応じて、撮影レンズ３によって結像された被写体光像を撮像素子によって電気信号に変換し、これを画像情報としてカメラボディ２が備える図示しないメモリに記録（すなわち撮影）する。
【００１６】
つぎに、本願構成の特徴部分であるカメラボディ２におけるグリップ部１０の構成について詳細に説明する。図２は、図１のＡ−Ａ断面に相当するグリップ部１０の上部縦断面図である。図３は、グリップ部１０の分解斜視図である。
【００１７】
カメラボディ２におけるグリップ部１０は、筐体４に設けられたグリップ基部１００の外面に、グリップゴム２００が、両面接着テープ４００と、外観部材３００と、によって固定されて構成されている。前述したグリップ部１０の上部近傍の指掛け部１１は、このグリップゴム２００における当該部分の厚さを薄くすることで形作られている。
【００１８】
図３に示すように、グリップ基部１００は、背面側に開放する略Ｕ状の横断面形状で、合成樹脂等によって形成されている。グリップ基部１００の外面は、グリップゴム２００が装着されるゴム装着面１１０となっている。このゴム装着面１１０の側部及び下部には、グリップゴム２００の外面と同一面となる高さの縁取り部１２０が設けられている。また、ゴム装着面１１０の上縁部には、後述するグリップゴム２００の上縁が嵌合する鍔状部１２１が突設されている。
【００１９】
図２に示すように、グリップ基部１００の上端部には、グリップ基部１００の内部に構成される電池室１３の上面を形成する天面板１３０が設けられている。天面板１３０には、固定メネジ１３２が設けられている。この固定メネジ１３２の中心軸方向は、グリップ基部１００の長手方向（Ｙ軸方向）と平行に設定されている。これは、電池室１３へのバッテリーの挿入方向と平行である。
天面板１３０の上面側には、レリーズスイッチ１２（図１参照）等が設けられる上面カバー２０が装着されている。
【００２０】
また、グリップ基部１００の前面側上部（鍔状部１２１に隣接した位置）には、外観部材３００を装着する装着孔１４０が、内外を貫通して形成されている。装着孔１４０は、図２に示すように、後述する外観部材３００の腕部３２０が挿通可能な大きさ及び形状となっている。装着孔１４０の上面は、天面板１３０の下面１３１と一致している。
【００２１】
図４は、グリップ部１０を底面側から見た図である。グリップ基部１００の下端部（底面部）は、図４に示すように開口して電池収容口１５０を形成している。この電池収容口１５０には、図示しない蓋が開閉可能に装着される。電池室１３には、この電池収容口１５０を介してバッテリーがグリップ基部１００の長手方向（Ｙ軸方向）に出し入れされる。つまり、グリップ基部１００における天面板１３０は、電池収容口１５０から見てバッテリーの挿入方向における奥側の壁となっている。
【００２２】
グリップゴム２００は、グリップ基部１００におけるゴム装着面１１０と対応する形状に、ゴムやエラストマー等の柔軟で可撓性を有する素材によって形成されている。
グリップゴム２００の上縁内周側には、グリップ基部１００の鍔状部１２１に嵌る嵌合溝２０１が形成されている。
また、グリップゴム２００の指掛け部１１が形作られた部位の外面側には、図２に示すように、凹部２１０が形成されている。また、指掛け部１１が形作られた部位の内面側には、内面から外面側に向かってグリップゴム２００の厚さ方向の途中まで延び、凹部２１０と、その凹部２１０の側面において連結している孔部２１２が形成されている。また、図３に示すように、凹部２１０の底部には、後述するピンが挿入されるピン孔２１１が５箇所設けられている。
【００２３】
凹部２１０は、後述する外観部材３００における外観本体部３１０が嵌合する形状となっている。また、孔部２１２は、後述する外観部材３００における腕部３２１が嵌合する形状となっている。孔部２１２の上面は、グリップ基部１００における装着孔１４０の上面と一致している。そして、孔部２１２の上面は孔部２１２の底面へと続き、その底面には凹部２１０の側面が連続しは、その側面は、孔部２１２の上面より所定量下側に形成される形となる。これにより、孔部２１２の上面と、凹部２１０の側面との間に、孔部２１２の底面によるグリップ側段部２１３が形成される。
【００２４】
上記のように構成されたグリップゴム２００は、両面接着テープ４００によってグリップ基部１００のゴム装着面１１０に接着固定されている。グリップゴム２００がグリップ基部１００に固定された状態において、グリップゴム２００の周縁と、グリップ基部１００の縁取り部１２０の上面とは、段差なく滑らかに連続する。また、図２に示すように、グリップゴム２００の上縁の嵌合溝２０１は、グリップ基部１００におけるゴム装着面１１０の上縁の鍔状部１２１に嵌合する。
【００２５】
図５は、グリップゴム２００を背面側から見た斜視図である。両面接着テープ４００は、図３及び図５に示すように、グリップ基部１００におけるゴム装着面１１０の、略全領域と対応する形状（上部の外観部材３００の配設位置近傍を除いて）に貼着され、この両面接着テープ４００によってグリップ基部１００のゴム装着面１１０にグリップゴム２００が接着される。
【００２６】
外観部材３００は、グリップゴム２００より硬質の合成樹脂等によって高剛性に形成されている。図６は外観部材３００を示す図であり、（ａ）は正面図、（ｂ）は上面図、（ｃ）は下面図である。外観部材３００は、外面に露出する外観本体部３１０と、その外観本体部３１０の外周側から、グリップ側段部２１３と当接する外観側段部３２４を形成して張り出し、孔部２１２を通って電池室１３の内部へと延びる腕部３２０と、外観本体部３１０の内面からと突出し、グリップゴム２００の凹部２１０に設けられた前述のピン孔２１１に挿入される固定ピン３３０を備えている。
【００２７】
図６（ａ）に示すように、外観部材３００は、その正面形状（前面側から見た形状）が、背が低く横幅の広い逆二等辺三角形状を呈している。図６（ｂ），（ｃ）に示すように、平面形状（上側から見た形状）はグリップゴム２００の外面と対応する略円弧状となっている。
図２に示すように、外観本体部３１０の外面は、グリップゴム２００の凹部２１０に嵌合装着された状態において、指掛け部１１の一部を構成すると共にその外面と滑らかに連続するように形成されている。また、外観本体部３１０の内面は、グリップゴム２００における凹部２１０の内部形状に対応している。
【００２８】
腕部３２０は、外観本体部３１０からら突出し、その端部にはネジ貫通孔３２３が形成されている。腕部３２１は左右方向の幅が外観本体部３１０の幅に比較して狭い（図６に図示）。そして、外観部材３００は、図２に示すように、その外観本体部３１０がグリップゴム２００における凹部２１０に嵌合し、腕部３２０がグリップゴム２００における孔部２１２に嵌合している。また、ピン３３０はピン孔２１１に挿入される。腕部３２０の上面は、装着孔１４０の上面及び天面板１３０の下面１３１に沿って配置され、腕部３２０のネジ貫通孔３２３を貫通してグリップ基部１００における天面板１３０の固定メネジ１３２に螺合した固定ネジ３４０によって、天面板１３０の下面１３１に締着されている。
【００２９】
これにより、外観部材３００は、外観本体部３１０とグリップ基部１００との間にグリップゴム２００が挟持され、固定ネジ３４０によってグリップ基部１００に固定されている。つまり、外観部材３００は、自らがグリップ基部１００に固定されることで、グリップゴム２００をグリップ基部１００に固定する。
【００３０】
外観部材３００のグリップ基部１００への組み付けは、外観部材３００の腕部３２０を、グリップゴム２００の前面側からその凹部２１０及びこれと連通するグリップ基部１００の装着孔１４０に挿入した後、腕部３２０の締着部３２２をグリップ基部１００における天面板１３０の下面１３１に固定ネジ３４０で締着することで行う。
【００３１】
ここで、外観部材３００の腕部３２０をグリップゴム２００の凹部２１０に前面側から挿入する際には、孔部２１２が凹部２１０に対してオフセットして配置されているので、腕部３２０を弾性変形させて挿入する。このようにして外観部材３００の腕部３２０が凹部２１０の所定位置に挿置されると、外観部材３００の外観側段部３２４が凹部２１０のグリップ側段部２１３と係合し、外観部材３００は凹部２１０から容易には脱落しないように保持される。つまり、組み立て時において仮止めすることができる。
【００３２】
また、外観部材３００における腕部３２０を、固定ネジ３４０によって天面板１３０（下面１３１）に締着する作業は、グリップ基部１００の下面の電池収容口１５０からドライバー等の工具を差し込んで、グリップ基部１００の天面板１３０の下側（すなわち電池室１３の内側）から容易に行うことができる。
【００３３】
上記のようにグリップ基部１００に固定された外観部材３００は、グリップゴム２００の凹部２１０に係合した外観本体部３１０（係合部３１１）が、グリップゴム２００のグリップ基部１００に対する移動を規制するように作用する。
【００３４】
以上、本実施形態によると、以下の効果を有する。
（１）外観部材３００は、外観本体部３１０（係合部３１１）とグリップ基部１００との間にグリップゴム２００を挟んで、固定ネジ３４０によってグリップ基部１００に固定されている。これにより、外観部材３００が、グリップゴム２００のグリップ基部１００に対する移動を規制し、その結果、グリップゴム２００のズレや捩れを抑制することができる。また、外観部材３００の配置位置近傍では、グリップ基部１００へグリップゴム２００を両面接着テープ４００によって接着する必要がなくなり、コスト低減が可能となる。
【００３５】
（２）外観部材３００は、特に把持時において力が作用する指掛け部１１に設けられているため、グリップゴム２００のズレ・捩れを抑制する作用が大きい。また、外観部材３００の外観本体部３１０は、グリップゴム２００のズレが生じやすい左右方向に長く、高いズレ抑止力が得られる。
【００３６】
（３）外観部材３００は、腕部３２０がグリップ基部１００の電池室１３の上面を形成する天面板１３０の内面に、バッテリーの挿入方向と平行な固定メネジ１３２に螺合した固定ネジ３４０によって固定されており、電池室１３の天面板１３０とは逆側の端部には電池収容口１５０が開口している。このため、電池収容口１５０を介して外観部材３００の固定作業を容易に行うことができ、作業性の向上による組立工数の削減によってコストダウンが可能となる。
【００３７】
（４）グリップゴム２００は可撓性を有すると共に、外観部材３００はグリップゴム２００より高剛性に形成され、外観部材３００の外観側段部３２４と、グリップゴム２００における凹部２１０のグリップ側段部２１３とが係合するように構成されている。これにより、組み立て時において外観側段部３２４がグリップ側段部２１３に係合して外観部材３００をグリップゴム２００（凹部２１０）に仮止め状態とすることができ、組み立て作業性が良い。
【００３８】
（変形形態）
以上、説明した実施形態に限定されることなく、以下に示すような種々の変形や変更が可能であり、それらも本発明の範囲内である。
（１）本実施形態では、外観部材３００は、グリップ部１０の上部に形成された指掛け部１１に配設されて、グリップ基部１００にグリップゴム２００を固定するように機能している。しかし、外観部材３００の配設位置はこれに限らず適宜設定可能である。
【００３９】
（２）本実施形態は、外観部材３００を１つ配設したものであるが、外観部材３００を複数設けた構成としても良い。
（３）本実施形態では、グリップ基部１００（天面板１３０）に、外観部材３００（腕部３２０）を固定ネジ３４０によって固定したが、外観部材３００のグリップ基部１００への固定構造はネジに限るものではなく、熱カシメ、スナップフィットまたは接着等、他の固定構造を用いても良い。
【００４０】
（４）本実施形態では、外観部材３００は、グリップ基部１００の内部に構成された電池室１３の奥壁を形成する天面板１３０に固定されている。しかし、外観部材３００が固定される部材は、電池室１３を構成する部材に限らず、他の着脱可能な構成要素を収容する空間を構成する部材に固定する構成としても良い。
なお、実施形態及び変形形態は、適宜組み合わせて用いることもできるが、詳細な説明は省略する。また、本発明は以上説明した実施形態によって限定されることはない。
【符号の説明】
【００４１】
１：カメラ、２：カメラボディ、１０：グリップ部、１１：指掛け部、１３：電池室、１３０：天面板、１３２：固定メネジ、１３２、１５０：電池収容口、２００：グリップゴム、２１０：凹部、３００：外観部材、３１０：外観本体部、３２０：腕部、３２３：ネジ貫通孔、３２４：外観段部、３３０：固定ネジ
【図１】
2012032545.tif 000003
【図２】
2012032545.tif 000004
【図３】
2012032545.tif 000005
【図４】
2012032545.tif 000006
【図５】
2012032545.tif 000007
【図６】
2012032545.tif 000008